(57)【要約】      （修正有）【課題】着火作業や火力調整を容易にするバーベキューグリルを提供する。【解決手段】フレーム２と、フレームによって支持された火床３と、を具備してなり、火床の上方においてフレームによって支持された金網４又は鉄板上に置かれた食材を、火床に配された炭火の熱によって加熱調理するためのバーベキューグリルであり、火床を、フレームに支持された金属製又はセラミックス製の支持板３１と、支持板に設けられた複数の貫通孔３１０に対し、着脱自在に挿入配置された複数の火床本体３２によって構成する。【選択図】図２
0003201441.tif 000002
【実用新案登録請求の範囲】
【請求項１】
フレームと、前記フレームによって支持された火床と、を具備してなり、前記火床の上方において前記フレームによって支持された金網又は鉄板上に置かれた食材を、前記火床に配された炭火の熱によって加熱調理するためのバーベキューグリルであって、
前記火床が、
前記フレームに支持された金属製又はセラミックス製の支持板と、
前記支持板に設けられた複数の貫通孔に対し、着脱自在に挿入配置された複数の火床本体と、
を具備してなることを特徴とするバーベキューグリル。
【請求項２】
請求項１に記載のバーベキューグリルにおいて、
前記支持板が、前記フレームに設けられたガイドレールによってスライド可能に支持されてなるバーベキューグリル。
【請求項３】
請求項１又は２に記載のバーベキューグリルにおいて、
前記火床本体の全体形状が、有底円筒形状、又は、開口端の面積が底面の面積より大きい円錐台形状となされたバーベキューグリル。
【考案の詳細な説明】
【技術分野】
【０００１】
本考案は、キャンプなどのアウトドア活動において、食材を加熱調理するためのバーベキューグリルに関する。
【背景技術】
【０００２】
野外で一時的な生活を行うキャンプでは、食材を加熱調理するにあたり、バーベキューグリル（バーベキューコンロ）と称される簡易な調理設備が用いられる。
【０００３】
現在市販されているバーベキューグリルは、フレームと、前記フレームによって支持された桶状の火床と、を具備してなり、前記火床の上部開口を覆うようにして配置された金網又は鉄板上に置かれた食材を、前記火床に投入された炭火の熱によって加熱調理するものが一般的である。（例えば、下記特許文献１参照。）。
【先行技術文献】
【特許文献】
【０００４】
【特許文献１】特開２００３-０６１８３２号公報
【考案の概要】
【考案が解決しようとする課題】
【０００５】
しかしながら、この種の形態を有する従来のバーベキューグリルによる加熱調理を実行するにあたっては、前記火床内において安定的な炭火を起こす着火作業が必要であるところ、炭火の扱いに慣れていない者にとっては、まず、この着火作業を円滑に行うことが困難である。
【０００６】
又、前記火床内に広げられた炭火の火力は、中心部分と比較して端部が弱くなる傾向があり、炭火の取り扱いに熟練したものでなければ、中心部と端部の火力差を調整することができない。そのため、従来のバーベキューグリルを用いた加熱調理においては、前記火床の上方に配置された金網又は鉄板の広範囲にわたって並べられた食材に対して均等な火力を与えることができず、一部の食材が生焼けの状態である一方で、他の一部の食材が焦げてしまうといった状況が頻繁に生じていた。
【０００７】
本考案は、前記技術的課題に鑑みて完成されたものであり、着火作業や火力調整を容易にする新規なバーベキューグリルを提供することを目的とする。
【課題を解決するための手段】
【０００８】
前記技術的課題を解決する本考案のバーベキューグリルは、フレームと、前記フレームによって支持された火床と、を具備してなり、前記火床の上方において前記フレームによって支持された金網又は鉄板上に置かれた食材を、前記火床に配された炭火の熱によって加熱調理するためのバーベキューグリルであって、前記火床が、前記フレームに支持された金属製又はセラミックス製の支持板と、前記支持板に設けられた複数の貫通孔に対し、着脱自在に挿入配置された複数の火床本体と、を具備してなることを特徴とする（以下、「本考案グリル」と称する。）。
【０００９】
本考案グリルにおいては、前記支持板が、前記フレームに設けられたガイドレールによってスライド可能に支持されてなるものが好ましい態様となる。
【００１０】
本考案グリルにおいては、前記火床本体の全体形状が、有底円筒形状、又は、開口端の面積が底面の面積より大きい円錐台形状となされたものが好ましい態様となる。
【考案の効果】
【００１１】
本考案によれば、着火作業や火力調整が容易となる。
【図面の簡単な説明】
【００１２】
【図１】図１は、本考案グリルの一態様を示す斜視図である。
【図２】図２は、本考案グリルを示す分解斜視図である。
【図３】図３は、火床本体を一部透過状態で示す斜視図である。
【図４】図４（ａ）は、支持板に火床本体を挿入配置している様子を示す斜視図であり、図４（ｂ）は、火床をフレームに対してスライドさせている様子を示す斜視図である。
【図５】図５は、本考案グリルの別態様を示す斜視図である。
【考案を実施するための形態】
【００１３】
以下、本考案を実施するための形態を図面に基づいて説明するが、本考案はこの実施形態に限定されるものではない。
【００１４】
＜本考案グリル１＞
図１及び図２に、本考案グリル１の一態様を示す。この本考案グリル１は、フレーム２と、火床３と、を具備する。
【００１５】
‐フレーム２‐
本実施形態において、前記フレーム２は、一対の脚部２１と、各脚部２１間を架橋する一対の横板２２と、を具備する。
【００１６】
前記フレーム２は、前記脚部２１に対して前記横板２２が、ボルト等の固定手段にて取り付けられることによって、脚部２１間の距離が決定されるとともに、四本足で自立し得る仕組みとなされている。
【００１７】
又、本実施形態においては、相対する前記横板２２の内側各々に一対のガイドレール２３が設けられている。前記ガイドレール２３は、前記フレーム２が組み立てられた際に、それぞれ同じ高さとなり、前記横板２２の長さ方向に沿って平行に延びるようにして、前記横板２２に対して取り付けられている。
【００１８】
‐火床３−
前記火床３は、金属製又はセラミックス製の支持板３１と、複数（本実施形態においては、３個）の火床本体３２と、を具備する。
【００１９】
本実施形態において、前記支持板３１は、スチール製であり、矩形のトレー形状となされている。前記支持板３１には、底板部分において、複数（本実施形態においては、３個）の貫通孔３１０が等間隔で設けられている。又、前記支持板３１には、上部開口の縁を外側に向かって屈曲させることによって鍔部３１１を設けている。更に、前記支持板３１には、両短辺の各々に対し、取手３１２が取り付けられている。
【００２０】
図３に示すように、本実施形態において、前記火床本体３２は、開口端の面積が底面の面積より大きい円錐台形状となされており、上部開口端にフランジ３２１が設けられている。前記火床本体３２の底部寄りの側面には、空気取り入れ用の通気口３２２が設けられている。又、前記火床本体３２の前記フランジ３２１には、取手３２３が取り付けられている。更に、前記火床本体３２内には、支持台３２４によって下支えされたロストル３２５が配されている。
【００２１】
図４（ａ）に示すように、前記火床３は、前記支持板３１の各貫通孔３１０それぞれに対し、前記火床本体３２を着脱自在に挿入配置し得る仕組みとなされている。
【００２２】
又、図４（ｂ）に示すように、前記火床３は、前記フレーム２によって支持され得る仕組みとなされる。なお、本実施形態においては、前記支持板３１の前記鍔部３１１を、前記フレーム２に設けられたガイドレール２３に沿って挿入し、前記鍔部３１１を前記ガイドレール２３の下縁にて下支さえさせることによって、前記火床３が前記フレーム２に対してスライド可能に支持される仕組みとなされている。
【００２３】
前記構成を有する本考案グリル１は、前記火床３の上方において前記フレーム２によって支持された金網（又は鉄板）４上に置かれた食材を、前記火床３に配された炭火の熱によって加熱調理するために用いられる。
【００２４】
前記本考案グリル１を用いて、食材を加熱調理するにあたっては、まず、前記火床３において、安定的な炭火を起こす着火作業が必要となる。前記本考案グリル１において、この着火作業は、各火床本体３２内に炭や着火剤を投入し、各火床本体３２内において炭火を起こすことによって行われる。
【００２５】
ここで、前記火床本体３２を用いた着火作業は、前記火床本体３２内において炭を容易に積み上げることができ、しかも、煙突効果によって効率的に行うことができるため、炭火の扱いに慣れていない者であっても容易に安定的な炭火を起こすことができる。
【００２６】
なお、この着火作業は、前記火床３を前記フレーム２によって支持させた状態で行っても良いし、前記火床本体３２を前記支持板３１から取り外した状態で行っても良い。
【００２７】
前述の着火作業によって、各火床本体３２内において安定的な炭火が起こされた後は、前記火床３の上方に金網（又は鉄板）４を配し、前記金網４上に食材を置く。
【００２８】
前記本考案グリル１においては、前記火床３において、安定的な炭火が起こされた前記火床本体３２が複数個所に配されているから、前記火床３の上方に配置された金網４の広範囲にわたって並べられた食材に対して均等な火力を与えることができる。
【００２９】
又、加熱調理が進むと、各火床本体３２から生じている熱が、前記支持板３１に伝達されて前記支持板３１が加熱される。前記支持板３１が加熱されると、前記支持板３１から輻射熱が生じ、より一層、前記火床３の上方に配置された金網４の広範囲にわたって並べられた食材に対して均等な火力を与えることができるようになる。
【００３０】
そして、バーベキューが終わった後は、前記火床３を炭収集場に運んで、使用済みの炭を捨てる作業が必要となるが、本考案グリル１においては、前記支持板３１から各火床本体３２を個別に取り外すことができることから、女性や子供であっても、各火床本体３２を個別に炭収集場に容易に運ぶことができる。
【００３１】
特に、本実施形態のように、前記火床３が前記フレーム２に対してスライド可能に支持される仕組みとなされていると、前記支持板３１から各火床本体３２を個別に取り外す作業が容易になる。
【００３２】
なお、本実施形態においては、前記火床本体３２が三個の本考案グリル１について説明したが、前記火床本体３２の数は特に限定されるものではない。例えば、図５に示すような、前記火床本体３２が二個の本考案グリル１としても良い。前記火床本体３２の数としては、２〜６個程度が好ましい。
【００３３】
又、本実施形態においては、前記火床本体３２の形状を円錐台形状としているが、前記火床本体３２の形状は特に限定されるものではない。例えば、前記火床本体３２の形状は、縦長の有底筒状とすることが好ましく、特に、円錐台形状又は有底円筒状とすることが好ましい。前記火床本体の形状３２につき、側壁に角がない円錐台形状又は有底円筒状とすれば、前記火床本体３２を落としたり、ぶつけたりした際に変形が生じ難くなる。又、円錐台形状又は有底円筒状は、深絞り加工などによって安価に製造することができる利点もある。
【００３４】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。さらに、実用新案登録請求の範囲の均等範囲に属する変形や変更は、全て本考案の範囲内のものである。
【産業上の利用可能性】
【００３５】
前記本考案グリルは、キャンプなどのアウトドア活動において、食材を加熱調理するため調理設備として好適に用いられる。
【符号の説明】
【００３６】
１  本考案グリル（バーベキューグリル）
２  フレーム
２１  脚部
２２  横板
２３  ガイドレール
３  火床
３１  支持板
３２  火床本体
３１０  貫通孔
４  金網
【図１】
0003201441.tif 000003
【図２】
0003201441.tif 000004
【図３】
0003201441.tif 000005
【図４】
0003201441.tif 000006
【図５】
0003201441.tif 000007